(57)【要約】【課題】混雑時においても、エレベータ装置の乗りかご内でスムーズに操作盤を操作できるようにする。【解決手段】エレベータ装置１００は、昇降路内を昇降し、荷重検出装置７が取り付けられた乗りかご１と、乗りかごを制御する号機制御装置４を有する。乗りかご内の左右両側面２ａ、２ｂ及び背面２ｃの少なくとも１面に、この面の大きさの１／２以上の大きさであってコンテンツを表示可能な大画面液晶パネル２を設ける。液晶パネルはタッチパネル式の複数の液晶パネル区画２１〜２８を有している。大画面液晶パネルを制御する液晶パネル制御装置３を乗りかごに設け、液晶パネル制御装置と号機制御装置とを多重伝送路９、１０で接続した。【選択図】図１
2015105187.tif 000002
【特許請求の範囲】
【請求項１】
昇降路内を昇降し、荷重検出装置が取り付けられた乗りかごと、この乗りかごを制御する号機制御装置を有するエレベータ装置において、
前記乗りかご内の左右両側面及び背面の少なくとも１面に、この面の大きさの１／２以上の大きさであってコンテンツを表示可能な大画面液晶パネルを設け、前記大画面液晶パネルはタッチパネル式の複数の液晶パネル区画を有しており、前記大画面液晶パネルを制御する液晶パネル制御装置を前記乗りかごに設け、前記液晶パネル制御装置と前記号機制御装置とを多重伝送路で接続したことを特徴とするエレベータ装置。
【請求項２】
前記大画面液晶パネルに表示するコンテンツを記憶する遠隔情報出力装置を、多重伝送路を用いて前記乗りかごから遠隔に設けたことを特徴とする請求項１に記載のエレベータ装置。
【請求項３】
前記液晶パネル制御装置は、前記大画面液晶パネルが有する複数の前記液晶パネル区画が操作されたときに操作された前記液晶パネル区画の位置を認証して当該液晶パネル区画に操作画面を表示させる操作判定部と、前記液晶パネル区画に操作画面が表示された後にタッチパネルによる操作入力を認証する操作認証部とを有し、前記号機制御部は、前記操作認証部が認証した入力情報から行先階の決定と乗りかごのドアの開閉との少なくともいいずれかを実行することを特徴とする請求項２に記載のエレベータ装置。
【請求項４】
前記遠隔情報出力装置は、前記大画面液晶パネルに地震情報およびアニメーション動画、キャラクター表示の少なくともいずれかのコンテンツを出力する遠隔情報出力部を有し、前記号機制御装置は、前記遠隔情報出力部から出力されたコンテンツを記憶する情報記憶部を有し、さらに液晶パネル制御装置は、前記情報記憶部に記憶されたコンテンツから前記号機制御装置が有する前記乗りかごの運行状況データに応じて前記大画面液晶パネルに表示するコンテンツを選択して前記大画面液晶パネルに出力する情報制御部を有することを特徴とする請求項２に記載のエレベータ装置。
【請求項５】
前記液晶パネル制御装置は、前記液晶パネル区画に操作画面が表示されているにもかかわらず前記操作認証部が操作を検出せず、かつ前記荷重検出センサが前記乗りかご内に乗客を検出しないときは、前記操作画面を前記液晶パネル区画から消去することを特徴とする請求項３に記載のエレベータ装置。
【請求項６】
昇降路内を昇降し、荷重検出装置が取り付けられた乗りかごと、この乗りかごを制御する号機制御装置を有するエレベータ装置において、
通常運転時にかご内呼び登録及びかごドア開閉登録に使用する大画面液晶パネルを有する操作情報表示手段と、異常発生時にコンテンツを前記大画面液晶表示パネルに表示するコンテンツ表示手段とを設け、前記大画面液晶パネルは、前記乗りかご内の左右両側面及び背面の少なくとも１面に設けられた該面の大きさの１／２以上の大きさの液晶パネルであり、かつタッチパネル式の複数の液晶パネル区画を有しており、前記操作情報表示手段は、前記液晶パネル区画への操作を判定する操作判定部と、この操作の判定に応じて前記液晶パネル区画に表示された操作画面に対する前記乗りかご内の乗客からの操作を認証する操作認証部を有し、前記コンテンツ表示手段は地震情報及びアニメーション動画、キャラクター表示の少なくともいずれかのコンテンツを記憶する情報記憶部と、この情報記憶部に記憶されたコンテンツを選択的に表示する情報制御部とを有することを特徴とするエレベータ装置。
【発明の詳細な説明】
【技術分野】
【０００１】
本発明は、昇降路内を昇降する乗りかごを備えたエレベータ装置に係り、特に乗りかご内での呼び操作に好適なエレベータ装置に関する。
【背景技術】
【０００２】
従来のエレベータでは、乗りかご内操作盤が固定位置に設けられているので、乗りかご内が混雑している場合には、操作盤から離れた位置にいる乗客は、行先ボタンを操作することが困難になる。そのため、手を伸ばして行先ボタンを操作するか、操作盤近傍の乗客に行先階を告げ、行先ボタンを押してもらうなどの対応をする必要があった。一方、車いす利用者は、体をひねったりして無理な姿勢で行先ボタンを操作していた。この不具合を解消するため、操作盤をかごの側面などに複数箇所設置して、混雑時の操作性を向上させたものが導入されている。
【０００３】
乗りかご内での操作の不具合を改善したエレベータの他の例が、特許文献１に記載されている。この公報に記載のエレベータでは、乗りかご内に設けられる操作盤が、柱状の操作盤設置構造物と操作盤本体を有している。そして柱状の操作盤設置構造物は、かご床あるいは天井から上下方向に延び、かつ側板から離れた設置位置に設置されている。操作盤本体は、操作盤設置構造物の上下方向中間位置に、操作盤設置構造物の全周にわたって設けられている。
【先行技術文献】
【特許文献】
【０００４】
【特許文献１】特開２０１３−４９５４７号公報
【発明の概要】
【発明が解決しようとする課題】
【０００５】
操作盤を複数個所に設置して操作性を向上させた従来のエレベータ装置においては、設置した操作盤の分だけ配線接続が必要になり、信号のやりとりが複雑になる。また、車いす利用者用を除けば、ドアの両側に１個ずつ設けるのが一般的である。その理由は、無暗に操作盤を増やすと混雑時に乗客の意図しない操作が生じて、エレベータ運行の遅延を招くためである。したがって、大容積の乗りかごなどの場合には、必ずしも操作性が向上するわけではなく、依然として他人に呼び登録を依頼することになる。
【０００６】
一方特許文献１に記載のエレベータでは、乗りかごの内部であって壁面から離れた位置に柱状の操作盤構造物を設置しているので、乗り場スペースが減少するともに駆け込みで乗り込む乗客がいる場合や多数が乗り込む場合に、操作盤構造物に衝突する恐れがある。
【０００７】
本発明は上記従来技術の不具合に鑑みなされたものであり、その目的は、混雑時においてもエレベータ装置の乗りかご内でスムーズに操作盤を操作できるようにすることにある。本発明の他の目的は、エレベータ装置の乗りかご内に乗客が閉じ込められた等の異常発生時に、乗客の不安を和らげることを可能にすることにある。
【課題を解決するための手段】
【０００８】
本発明は上記目的を達成するために、昇降路内を昇降し、荷重検出装置が取り付けられた乗りかごと、この乗りかごを制御する号機制御装置を有するエレベータ装置において、乗りかご内の左右両側面及び背面の少なくとも１面に、この面の大きさの１／２以上の大きさであってコンテンツを表示可能な大画面液晶パネルを設け、大画面液晶パネルはタッチパネル式の複数の液晶パネル区画を有しており、大画面液晶パネルを制御する液晶パネル制御装置を乗りかごに設け、液晶パネル制御装置と号機制御装置とを多重伝送路で接続したことを特徴とする。
【０００９】
また上記目的を達成するために、昇降路内を昇降し、荷重検出装置が取り付けられた乗りかごと、この乗りかごを制御する号機制御装置を有するエレベータ装置において、通常運転時にかご内呼び登録及びかごドア開閉登録に使用する大画面液晶パネルを有する操作情報表示手段と、異常発生時にコンテンツを前記大画面液晶表示パネルに表示可能なコンテンツ表示手段とを設け、大画面液晶パネルは、乗りかご内の左右両側面及び背面の少なくとも１面に設けられた該面の大きさの１／２以上の大きさの液晶パネルであり、かつタッチパネル式の複数の液晶パネル区画を有しており、操作情報表示手段は、液晶パネル区画への操作を判定する操作判定部と、この操作の判定に応じて液晶パネル区画に表示された操作画面に対する乗りかご内の乗客からの操作を認証する操作認証部を有し、コンテンツ表示手段は地震情報及びアニメーション動画、キャラクター表示の少なくともいずれかのコンテンツを記憶する情報記憶部と、この情報記憶部に記憶されたコンテンツを選択的に表示する情報制御部とを有することを特徴とする。
【発明の効果】
【００１０】
本発明によれば、エレベータ装置の乗りかご内に複数の操作画面を表示可能な大画面液晶パネルを設置したので、混雑時においてもエレベータ装置の乗りかご内でスムーズに呼び操作等の操作が可能になる。また、エレベータ装置の乗りかご内に乗客が閉じ込められた場合等の異常発生時に、種々のコンテンツを提示できるので、乗客の不安を和らげることが可能になる。
【図面の簡単な説明】
【００１１】
【図１】本発明に係るエレベータ装置の一実施例の模式図である。
【図２】図１に示したエレベータ装置が備える大画面液晶パネルの詳細を説明する図である。
【図３】図１に示したエレベータ装置のブロック図である。
【図４】本発明に係るエレベータ装置の液晶パネル操作・表示処理動作のフローチャートである。
【図５】本発明に係る液晶パネルの情報表示動作のフローチャートである。
【発明を実施するための形態】
【００１２】
以下、本発明に係るエレベータ装置の一実施例を、図面に基づいて説明する。図１は、エレベータ装置１００の一実施例の模式図であり、乗りかご１を透視斜視図で示した図である。なお、この図１では、乗りかご１を昇降させるロープや電動機、複数のシーブ、釣り合い錘、昇降路等を省いて示している。
【００１３】
エレベータ装置１００は、建屋、例えば共同住宅に形成される図示しない昇降路を昇降する乗りかご１を備えている。乗りかご１内には、大画面液晶パネル２が備えられている。大画面液晶パネル２は、乗りかご１の左右両側面２ａ、２ｂおよび背面２ｃに設けられており、乗りかご１の奥行き高さ寸法とほぼ同等の大きさである。
【００１４】
液晶パネル２には、この液晶パネル２を制御する液晶パネル制御装置３が、多重伝送路８により接続されている。液晶パネル制御装置３は、エレベータ装置１００の運転を統括制御する号機制御装置４とかご端末５を介して接続されており、液晶パネル制御装置３から号機制御装置４へ及びその逆向きにデータを送信する。号機制御装置４とかご端末５間は多重伝送路１０で、かご端末５と液晶パネル制御装置３間は多重伝送路９でそれぞれ接続されている。
【００１５】
号機制御装置４には、大画面液晶パネル２へ画像や動画等のコンテンツを提供可能な遠隔情報出力装置６が、多重伝送路１１により接続されている。遠隔情報出力装置６は、乗りかご１が設置された建物とは異なる、多数のエレベータ装置を集中監視する管制センタに設けられている。したがって、多重伝送路１１には、電話回線等の公共通信または専用回線等を利用する。
【００１６】
乗りかご１には、乗りかご１内の乗客の有無を判断するための荷重検出装置（荷重センサ）７が取り付けられている。荷重センサ７の出力は、多重伝送路１２を介してかご端末５に入力される。なお、図示を省略したが、乗りかご１内の人員の有無を確認するために、カメラ等の撮像手段も備えられている。
【００１７】
図２は、乗りかご１の両側面２ａ、２ｂおよび／または背面２ｃに設ける大画面液晶パネル２の一例を示す正面図であり、右側面２ａの液晶パネルである。図２の左側の図が、後述する指操作５４を説明するための図であり、右側の図が指操作後の画面表示の一例を示す図である。
【００１８】
ここで液晶パネル２について大画面と称するのは、上述した通り、エレベータドア脇に設けられる通常の操作盤１個程度の大きさの画面ではなく、乗りかご１の１壁面全体にわたって形成される画面であるからである。なお、大画面であるからといって必ずしも壁面全部を占める必要はなく、壁面の１／２以上あれば、大画面と言える。
【００１９】
図２に示した大画面液晶パネル２は、上下方向中間部に区画された液晶パネル区画２１〜２８部を有し、この液晶パネル区画２１〜２８部の上部には、上側液晶パネル５１が、液晶パネル区画２１〜２８部の下側には、下側液晶パネル５２が設けられている。上側液晶パネル５１および下側液晶パネル５２は、動画やアニメーション等のコンテンツを表示するために用いられる。
【００２０】
下側液晶パネル５２部分は、液晶パネルの代わりに、通常のエレベータ装置と同様に緩衝材等を設けてもよい。エレベータ装置１００が人荷共用の場合は言うまでもなく、乗客専用であっても下側部分は混雑時に壁面に乗客が接触したり、乗客が携行する鞄等の物品が接触し易く、下側部分を液晶パネルで構成すると損傷する可能性が高まるためである。また、乗客に幼児等が含まれると、下側液晶パネル５２部分がちょうど幼児の位置に該当し幼児の操作による誤操作が生じる恐れがあるが、それをも回避できる。なお、中間部に配置する液晶パネル区画２５〜２８の下限の高さ位置を、車いす利用者に合わせて設定するのが好ましい。
【００２１】
図２では、普通の身長の人には操作がしにくい高さとなるので、上側液晶パネル５１をコンテンツ表示専用としている。しかしながら、長身の乗客が操作できるようにするために、操作兼用の液晶パネルとしてもよいことは言うまでもない。その場合、上側液晶パネル部分をも区画したパネルとするのが良い。
【００２２】
上下方向中間部に配置する液晶パネル区画２１〜２８部は、図２では上下２行、左右方向に４列の８個の液晶パネル区画２１〜２８に分割されている。なお、この区画数は乗りかご１の容積やパ液晶パネル２に表示する画面の大きさに応じて変化するものであり、上下方向及び左右方向の分割数は、例示した数に限るものではない。
【００２３】
中間部に配置した各液晶パネル区画２１〜２８は、タッチセンサとして形成されている。すなわち、図２の左側の図に示すように、操作者が壁面２ａのタッチセンサとして形成された液晶パネル区画２１〜２８の任意位置（図２では区画２３）を、操作指５３で擦るように指操作５４すると、図２の右側の図に示すように、該当パネル区画２３に操作画面１４が表示される。
【００２４】
図２では、操作画面１４はかご呼び操作ボタン表示である。かご呼び操作ボタン表示では、乗りかごドアの近傍に通常設けられるかご登録ボタンと同様のボタンが表示される。すなわち、乗りかご１を停止させるための、各階床を示す複数の階床表示ボタン１４ａと、乗りかごドアの開閉のためのドア閉表示ボタン１５、ドア開表示ボタン１６が表示される。指操作５４を実行した乗客は、新たに表示されたかご呼び表示画面１４から、所望の表示ボタンを押すことにより、エレベータ装置１００の制御装置にかご呼び登録が可能になる。または、ドア開閉が可能になる。なお、この図２では液晶パネル区画２１〜２８を点線で区切って示しているが、この区画は表面からは見えないようになっている。
【００２５】
次に、図３を用いて、大画面液晶パネル２への情報等のコンテンツ提示及び操作画面提示を制御する制御機構について、説明する。図３は、エレベータ装置１００の液晶画面表示に関する制御装置の要部のブロック図である。
【００２６】
乗りかご１内に設けた大画面液晶パネル２が操作された位置を検出するために、操作判定部Ｂ２が液晶パネル制御装置３に設けられている。図２の指操作５４がなされると、操作判定部Ｂ２は、未表示または情報等のコンテンツが表示されていた大画面液晶パネル２に、操作画面１４を出力表示する。その際、操作判定部Ｂ２は、大画面液晶パネル２のどの液晶パネル区画２１〜２８が操作されたか（図２では区画２３）を、各液晶パネル区画２１〜２８のタッチセンサの動作で判断する。そして、動作したタッチセンサを有する区画（図２では区画２３）に操作画面１４を表示する。
【００２７】
ここで、乗客が液晶パネル２に誤って触れることによる操作画面１４の出力を防止するため、操作判定部Ｂ２は単なる接触は入力と判定せず、２回連続押しや所定時間の長押し、指操作によるスライド操作等を入力として判定し、操作画面１４を出力表示する。なお、複数の乗客が複数の液晶パネル区画２１〜２８を同時に操作した場合には、タッチセンサの入力があったすべての液晶パネル区画２１〜２８に操作画面１４が出力表示される。
【００２８】
液晶パネル制御装置３は、操作認証部Ｂ３を有している。操作認証部Ｂ３では、液晶パネル２に表示された操作画面１４が操作されたことを認証する。そして、かご端末５が有するかご端末伝送部Ｂ４を介して、号機制御装置４が有する号機制御部Ｂ５へ操作信号（入力信号）を伝送する。号機制御部Ｂ５は、入力された操作信号の内容から、行先階の決定またはエレベータ装置１００のドア開閉を制御する。
【００２９】
液晶パネル制御装置３はさらに、情報制御部Ｂ６を有している。情報制御部Ｂ６は、乗りかご１内の液晶パネル２から操作入力が予想されない場合に、液晶パネル２へ、地震情報やアニメーション動画、キャラクターなどのコンテンツを表示するために設けられている。情報制御部Ｂ６から送信されるコンテンツは、管制センタ等に設けられた遠隔情報出力装置６が備える遠隔情報出力部Ｂ８により制御される。遠隔情報出力部Ｂ８は、号機制御装置４が有するデータベースである情報記憶部Ｂ７に保存された情報を、かご端末伝送部Ｂ４に送信するのを制御する。
【００３０】
液晶パネル制御装置３の情報制御部Ｂ６では、エレベータ装置１００の運転状況に応じて、異なるコンテンツを液晶パネル２に表示する。そのため、号機制御部Ｂ５から、かご端末伝送部Ｂ４を介して、エレベータ装置１００の運転状態信号を受け取る。例えば、地震発生時には、号機制御部Ｂ５から「地震時管制運転中」の信号が、かご端末伝送部Ｂ４を介して情報制御部Ｂ６へ送信される。
【００３１】
地震情報を得た情報制御部Ｂ６では、受信した運転状態信号に応じて液晶パネル２へ最適な映像や動画等のコンテンツを出力表示する。ここで最適なコンテンツの表示とは、例えば幼児が同乗していたときに、閉じ込め時の不安を和らげるアニメーション動画やキャラクターを表示することである。
【００３２】
または、エレベータ装置１００の外部情報等を乗客が知ることができるよう、緊急時に対応した操作画面を準備しておき、液晶パネル２上に緊急時操作画面を提示して、乗客が液晶パネル２を操作することを可能にしてもよい。乗客は、提示された操作画面から、必要な情報コンテンツを選択する。映像や動画及び緊急時の提示情報等の表示可能なコンテンツは、情報記憶部Ｂ７にデータとして保存されている。
【００３３】
乗りかご１に取り付けた荷重検出装置７は、乗りかご１内に乗客が居るか否かを判定するのに利用する。乗客がいない場合には、コンテンツ表示も操作画面表示も無駄であるから、液晶パネル２に表示していた操作画面や動画等のコンテンツを、情報制御部Ｂ６が非表示にする、または液晶パネル２への通電を停止する。
【００３４】
図３において、破線で区画した操作情報表示手段３１は、通常運転時にかご内呼び登録及びかごドア開閉登録に使用するエレベータ装置１００の部分である。また、破線で区画したコンテンツ表示手段３２は、上述したように異常時等にコンテンツを表示するのに使用するエレベータ装置１００の部分を示している。
【００３５】
図４も用いて、液晶パネル２の入力操作方法について説明する。図４は、主としてエレベータ装置１００を通常運用する時に、液晶パネル２に操作画面１４を出力表示させる処理を示すフローチャートである。液晶パネル２に対して、指定の操作がされたか否かを操作判定部Ｂ２が判定する（ステップＳ１）。ここで、指定の操作とは、例えば、２回連続押しや所定時間の長押し、上述の指操作５４などの操作である。
【００３６】
このステップＳ１で指定の操作がなされたと操作判定部Ｂ２が判断したら、ステップＳ２に進む。ステップＳ２では、乗客による指定操作がなされた場所付近に既に操作画面１４が表示されているか否かを、操作判定部Ｂ２が判定する。乗客による指定操作の操作場所近傍に操作画面１４が既に表示されている場合には、ステップＳ３へ進む。ステップＳ３では、既に操作画面１４が液晶画面２の対応する液晶パネル区画２１〜２８に表示されているので、新たな操作画面１４の出力処理をせずに、操作画面１４の表示処理を終了する。
【００３７】
ステップＳ２において、乗客が操作した場所近傍に操作画面１４が出力されていない場合には、ステップＳ４に進んで、新たに操作画面１４を、操作した場所の液晶パネル区画２１〜２８に出力表示する。乗客は表示された操作画面１４を操作することにより、タッチセンサが動作して、行先階の登録やエレベータドア開閉を登録する。
【００３８】
ここで、ステップＳ４で出力表示される操作画面１４は、表示開始後の所定時間だけ表示される。この所定時間を計測するために、液晶パネル制御装置３はタイマを有している。異なる液晶パネル区画２１〜２８に同時に操作画面１４を表示することができるので、出力される操作画面１４ごとにカウント用タイマを設けている。例えば、図２に示すように、液晶パネル２に操作画面１４を８箇所表示できる場合には、タイマの表示時間Ｔ１〜Ｔ８となる。図４に示したフローチャートでは、タイマの表示時間をＴｎ（ｎ＝１、…８）としている。
【００３９】
液晶パネル２に操作画面１４が表示されたら、ステップＳ５に進む。ステップＳ５では、操作画面１４が表示されてから予め定めた所定時間、本例では１０秒間経過しているか否かを判定する。ここで、所定時間を１０秒としたのは、１０秒あれば目的階やドアの開閉を登録できるのと、誤操作の可能性を判定するのには、１０秒間もあればよいからである。
【００４０】
ステップＳ５において、タイマが動作してからの表示時間Ｔｎが１０秒経過していないときは、ステップＳ６へ進む。ステップＳ６では、前回の操作画面１４のプログラムの動作から今回の操作画面１４のプログラムの動作までの時間ΔＴｎだけ、タイマ時間Ｔｎを加算する。例えば、操作画面１４の表示時間の確認を１秒周期で実行する場合には、ΔＴｎ＝１（秒）である。
【００４１】
ステップ６でタイマが動作してからの表示時間Ｔｎを確認した後、ステップＳ８に進む。ステップＳ８では、乗りかご１内の乗客の有無を判断する。乗りかご１内の乗客の有無の判断は、乗りかご１に取り付けた荷重検出装置７の出力を用いる。なお、乗りかご１内に撮像カメラ設けて２重にチェックするのが望ましい。
【００４２】
ステップＳ８で乗りかご１内に乗客がいないと判断したら、ステップＳ９へ進む。ステップＳ９ではタイマの表示時間が所定時間である１０秒に達していなくても乗客がいないことが判明しているので、タイマの表示時間Ｔｎをクリアする。さらにステップＳ１０に進み、操作画面１４を液晶パネル２上から消去する。
【００４３】
ステップＳ５において、タイマの表示時間Ｔｎが１０秒経過していれば、ステップＳ７へ進む。ステップＳ７では、操作画面の行先ボタン１４ａから行先階が登録されているか否かを判定する。行先ボタン１４ａから行先階が登録されていない場合には、ステップＳ９へ進み、タイマの表示時間Ｔｎのクリアと、操作画面１４の液晶パネルから２の消去（ステップＳ１０）を実行する。
【００４４】
ステップＳ７において、操作画面１４の行先ボタン１４ａから行先階が登録されている場合には、タイマの表示時間Ｔｎが所定時間である１０秒経過後であっても、操作画面１４を表示し続ける。また上述したように、ステップＳ５において操作画面１４の表示時間Ｔｎが所定時間である１０秒経過前であっても、ステップＳ８において乗りかご１内に乗客がいないと判定されると、ステップＳ９へ進み、操作画面の表示時間Ｔｎをクリアし、ステップＳ１０において液晶パネル２から操作画面１４を消去する。
【００４５】
ステップＳ３を終了した後、及びステップＳ７で行先階ボタン１４ａから行先階が登録されている場合、ステップＳ８において乗りかご１内に乗客がいる場合、ステップＳ１０を終了した場合、の各場合には、今回の表示確認プログラムを終了し、表示時間を確認する周期ΔＴｎが経過するのを待つ。前回プログラムを実行してから周期ΔＴｎだけ経過したら、新たにステップＳ１からステップＳ１０までの動作を実行する。すなわち、図４に示した手順を、例えば１秒周期でエレベータ装置１００が備える制御装置のＯＳが繰り返し実行する。
【００４６】
次に、地震等の異常事態発生時等に、乗りかご内に設けた大画面液晶パネル２に各種情報や動画、アニメーション等のコンテンツを表示する手順を、図５を用いて説明する。図５は、液晶パネル２に情報表示処理を示すフローチャートであり、このフローチャートに示された処理は、例えば１秒周期でエレベータ装置１００が有するＯＳにより繰り返し実行される。
【００４７】
初めにステップＳ３１において、液晶パネル制御装置３が備える情報制御部Ｂ６が、エレベータ装置１００が平常運転中か、または地震等の異常事態発生状態にあるかを判定する。情報制御部Ｂ６は、号機制御部Ｂ５から常時運転状態信号を受信している。そのため、情報制御部Ｂ６は、エレベータ装置１００の運転状態を判定することができる。ステップＳ３１において、情報制御部Ｂ６が平常運転と判定すると、ステップＳ３２に進む。ステップＳ３２では、環境自然映像など平常運転時に適した映像を表示する。そして、今回の処理を終了する。
【００４８】
ステップＳ３１で、情報制御部Ｂ６が平常運転ではなく、例えば地震が発生していると判断した時には、ステップＳ３３に進む。ステップＳ３３においては、地震が発生し乗客が閉じ込め状態になっている状態が確認される。その際、平常時等に液晶パネル２に表示するアニメーション動画やキャラクターなどのコンテンツが、液晶パネル２に表示されているか否かを情報制御部Ｂ６が判断する（ステップＳ３４）。
【００４９】
ここで図示を省略したが、地震等の異常時発生時には、一旦液晶パネル２からそれまで表示されていたコンテンツは消去される。したがって、地震発生直後のステップＳ３４の判断においては、アニメーション動画やキャラクターなどのコンテンツは液晶パネル２には表示されておらず、ステップＳ３５に進む。
【００５０】
ステップＳ３５では、地震でエレベータが停止したことを知らせる画面を表示する。例えば、「地震によりエレベータが停止しました。復旧までしばらくお待ち下さい」のように表示する。次にステップＳ３６に進む。ところで、ステップＳ３５で表示した地震情報画面の表示時間を計測するために、情報制御部Ｂ６は、表示経過時間を計測するタイマを有している。
【００５１】
ステップＳ３６では、タイマが計測する地震情報画面の表示時間Ｔが所定時間経過したか否かを情報制御部Ｂ６が判断する。所定時間は、例えば３０秒である。ステップＳ３６において所定時間である３０秒がまだ経過していないのであれば、ステップＳ３７に進む。ステップＳ３７では、地震情報画面の経過時間Ｔに、この図５に示した処理の周期ΔＴを加算する。図５の処理の周期が１秒であれば、ΔＴ＝１（秒）である。そして、地震情報画面を液晶パネル２に継続して表示して、今回の処理を終える。
【００５２】
ステップＳ３６において地震情報画面の表示時間Ｔが３０秒以上となっていたら、ステップＳ３８〜ステップＳ４２８を連続して実行する。すなわち、ステップＳ３８では、地震情報画面の表示時間Ｔを計測するタイマを０クリアする。次いでＳ３９において、地震情報画面を液晶パネル２から消去する。さらにステップＳ４０において、幼児等に向けたコンテンツを含む表示可能コンテンツの一覧を、液晶パネル２のタッチセンサ部に表示する。ステップＳ４１では、乗客が表示されたコンテンツの中から希望のコンテンツをタッチセンサ部から選択する。選択されたコンテンツが、アニメーション動画やキャラクター画面などであれば、ステップＳ４２で液晶画面に選択されたコンテンツを表示し、今回の処理を終了する。ステップＳ３４で、地震直後でない場合には、それ以前の処理においてアニメーション動画やキャラクターなどが液晶パネル２に表示されているので、今回の処理を終了する。
【００５３】
なお、以上の処理においては、地震直後だけ地震情報が表示されるようにしているが、割り込み手段を設けて、アニメーション動画やキャラクターなどのコンテンツが表示されているときであっても、地震情報を随時表示するようにしてもよい。その場合、地震情報とアニメーション動画やキャラクターなどのコンテンツの双方を同時に表示できるようにすることが好ましい。
【００５４】
上記実施例では、異常時として地震の場合を例にとり説明したが、乗りかごの速度異常等の他の異常時であって、保守員の到着を待つ場合にも本発明を適用できる。その場合、保守員の到着までの時間とか、対応方法を液晶パネルに示すのが良い。なお、本発明は上記実施例に限定されるものではなく、本発明の真の精神及び範囲内に存在する変形例は、全て特許請求の範囲に含まれる。
【符号の説明】
【００５５】
１…乗りかご、２…大画面液晶パネル、２ａ、２ｂ…側面パネル、２ｃ…背面パネル、２ｆ…床面、３…液晶パネル制御装置、４…号機制御装置、５…かご端末、６…遠隔情報出力装置、７…荷重検出装置（荷重センサ）、８…液晶パネル制御信号、９…液晶パネル入力信号、１０…号機制御信号、１１…コンテンツ信号、１２…乗りかご荷重センサ信号、１４…操作（かご呼びボタン表示）画面、１４ａ…階床表示ボタン、１５…ドア閉表示ボタン、１６…ドア開表示ボタン、２１〜２８…液晶パネル区画、３１…コンテンツ表示手段、３２…コンテンツ表示手段、５１…上側液晶パネル、５２…下側液晶パネル、５３…操作指、５４…指操作、１００…エレベータ装置、Ｂ２…操作判定部、Ｂ３…操作認証部、Ｂ４…かご端末伝送部、Ｂ５…号機制御部、Ｂ６…情報制御部、Ｂ７…情報記憶部、Ｂ８…遠隔情報出力部。
【図１】
2015105187.tif 000003
【図２】
2015105187.tif 000004
【図３】
2015105187.tif 000005
【図４】
2015105187.tif 000006
【図５】
2015105187.tif 000007